(57)【要約】      （修正有）【課題】丈夫で、かつ、見栄えが良い、新聞紙を用いて構成された紙袋を提供する。【解決手段】紙袋は、新聞紙を用いて構成されているマチ付けのトートバッグである。紙袋は、外袋６０と、内袋２０と、ひも状に形成され内袋２０の外表面に接着された持ち手４０とを有している。内袋２０は、外袋６０より多くの枚数の新聞紙を用いて、厚く、強度が高くなるように形成されている。内袋２０と持ち手４０とは、紙袋の荷重を主に受け持つ本体部５０となる。該本体部５０と外袋６０とを、内袋２０が外袋６０の内側に配置されるように組み合わせて、紙袋が構成される。多くの枚数の新聞紙を用いて形成された内袋２０と、外表面が比較的平たんに形成された外袋６０とを組み合わせた構造を有しているので、紙袋の外観は比較的平たんなものになり、かつ、紙袋の強度は高くなる。【選択図】図２
0003165087.tif 000002
【実用新案登録請求の範囲】
【請求項１】
新聞紙を用いて構成され、紙袋の外表面となる外袋と、
新聞紙を用いて構成され、前記外袋の内側に配置された内袋と、
前記内袋の外表面又は前記外袋の内表面にその一部が取り付けられた持ち手とを備える、紙袋。
【請求項２】
前記持ち手は、新聞紙を用いてひも状に構成されている、請求項１に記載の紙袋。
【請求項３】
前記内袋は、前記外袋を構成する新聞紙の枚数と同じ枚数かそれより多い枚数の新聞紙を重ねて構成されている、請求項１又は２に記載の紙袋。
【請求項４】
前記内袋は、
所定の大きさの複数枚の新聞紙が重ねられ、その短辺同士が重なるように２つに折り畳まれて折畳体とされ、
前記折畳体の２つの短辺に沿うようにそれぞれ設けられた２つの固定部で、互いに対向する新聞紙同士が固定され、
前記２つの固定部の一方が前記折畳体の第１の面に向けて折り込まれて前記第１の面に固定され、他方が前記折畳体の第２の面に向けて折り込まれて前記第２の面に固定されることで形成されている、請求項１から３のいずれかに記載の紙袋。
【請求項５】
前記持ち手の一部は、前記内袋の外表面の一部に固定されている、請求項１から４のいずれかに記載の紙袋。
【請求項６】
前記持ち手は、その一部が前記内袋の底部に回り込むように配置されている、請求項１から５のいずれかに記載の紙袋。
【請求項７】
前記内袋及び前記外袋のいずれか一方のうち前記持ち手が固定された部位の少なくとも一部に前記持ち手の一部を覆うようにはり付けられた、新聞紙を用いて構成された補強片をさらに有する、請求項１から６のいずれかに記載の紙袋。
【考案の詳細な説明】
【技術分野】
【０００１】
この考案は、紙袋に関し、特に、新聞紙を用いて構成された紙袋に関する。
【背景技術】
【０００２】
従来より、古紙となった新聞紙を用いて製造される紙袋が知られている。このような新聞紙製の紙袋は、資源の有効活用に資するものであり、自然環境の保護の観点からも有用なものである。
【０００３】
下記特許文献１には、新聞古紙を用いて製造される手提げ袋が開示されている。特許文献１には、新聞紙を所定の形状に折り畳むことで手提げ袋を製造すること、及び新聞紙を重ねて十分な強度を得られるようにすることなどが開示されている。
【先行技術文献】
【特許文献】
【０００４】
【特許文献１】特開２０１０−１０５２６６号公報
【考案の概要】
【考案が解決しようとする課題】
【０００５】
ところで、上記のような新聞紙を用いた紙袋には、より丈夫であること、かつ、見栄えが良いものであることが望まれている。紙袋を丈夫なものにするには、特許文献１に記載されているように、新聞を重ねて紙袋を構成することが考えられる。しかしながら、この場合、重ねる新聞紙の枚数が大きくなるため、新聞紙を折り曲げた箇所などにおいて新聞紙の端部が不揃いになったり、部分的に厚みが著しく異なったりし、紙袋の見栄えが損なわれる場合がある。
【０００６】
この考案はそのような問題点を解決するためになされたものであり、丈夫で、かつ、見栄えが良い、新聞紙を用いて構成された紙袋を提供することを目的としている。
【課題を解決するための手段】
【０００７】
上記目的を達成するためこの考案のある局面に従うと、紙袋は、新聞紙を用いて構成され、紙袋の外表面となる外袋と、新聞紙を用いて構成され、外袋の内側に配置された内袋と、内袋の外表面又は外袋の内表面にその一部が取り付けられた持ち手とを備える。
【０００８】
好ましくは持ち手は、新聞紙を用いてひも状に構成されている。
【０００９】
好ましくは内袋は、外袋を構成する新聞紙の枚数と同じ枚数かそれより多い枚数の新聞紙を重ねて構成されている。
【００１０】
好ましくは内袋は、所定の大きさの複数枚の新聞紙が重ねられ、その短辺同士が重なるように２つに折り畳まれて折畳体とされ、折畳体の２つの短辺に沿うようにそれぞれ設けられた２つの固定部で、互いに対向する新聞紙同士が固定され、２つの固定部の一方が折畳体の第１の面に向けて折り込まれて第１の面に固定され、他方が折畳体の第２の面に向けて折り込まれて第２の面に固定されることで形成されている。
【００１１】
好ましくは持ち手の一部は、内袋の外表面の一部に固定されている。
【００１２】
好ましくは持ち手は、その一部が内袋の底部に回り込むように配置されている。
【００１３】
好ましくは内袋及び外袋のいずれか一方のうち持ち手が固定された部位の少なくとも一部に持ち手の一部を覆うようにはり付けられた、新聞紙を用いて構成された補強片をさらに有する。
【考案の効果】
【００１４】
これらの考案に従うと、内袋が外袋の内側に配置されるので、紙袋の外表面となる外袋は、内袋とは別に構成することができる。したがって、丈夫で、かつ、見栄えが良い、新聞紙を用いて構成された紙袋を提供することができる。
【図面の簡単な説明】
【００１５】
【図１】本考案の実施の形態における紙袋を示す斜視図である。
【図２】紙袋の構造を示す分解斜視図である。
【図３】第１の段階の第１の工程を説明する図である。
【図４】（ａ）は、第１の段階の第２の工程を説明する図であり、（ｂ）は、第１の段階の第２の工程が行われた後の新聞紙を示す図である。
【図５】（ａ）は、第１の段階の第３の工程を示す図であり、（ｂ）は、第１の段階の第３の工程が行われた後の重畳体を示す図である。
【図６】（ａ）は、第１の段階の第４の工程を示す図であり、（ｂ）は、第１の段階の第４の工程が行われた後の内袋を示す図である。
【図７】第１の段階の第５の工程を示す図である。
【図８】（ａ）は、第１の段階の第６の工程を示す図であり、（ｂ）は、第１の段階の第６の工程が行われた後の内袋を底面側から見た斜視図である。
【図９】第１の段階の第７の工程における内袋を上方から見た斜視図である。
【図１０】（ａ）及び（ｂ）は、それぞれ、第２の段階の第１の工程を説明する図である。
【図１１】第２の段階の第２の工程における持ち手を示す図である。
【図１２】第２の段階の第３の工程を説明する図である。
【図１３】第２の段階の第４の工程における本体部を底面側から見た斜視図である。
【図１４】第３の段階の第１の工程を説明する図である。
【図１５】（ａ）は、第３の段階の第２の工程を説明する図であり、（ｂ）は、第３の段階の第２の工程が行われた後の状態を説明する斜視図である。
【図１６】第３の段階の第３の工程を説明する第１の図である。
【図１７】第３の段階の第３の工程を説明する第２の図である。
【図１８】第３の段階の第４の工程における外袋を示す斜視図である。
【図１９】本実施の形態の一変型例に係る紙袋を示す斜視図である。
【考案を実施するための形態】
【００１６】
以下、本考案の実施の形態における紙袋について説明する。
【００１７】
図１は、本考案の実施の形態における紙袋を示す斜視図である。
【００１８】
図を参照して、紙袋１は、マチ付けのトートバッグである。紙袋１は、外袋６０と、内袋２０と、ひも状に形成された持ち手４０とを有している。外袋６０の外表面であって紙袋１の表面には、図柄７０ａが配置されている。
【００１９】
本実施の形態において、紙袋１を構成する各部材は、新聞紙を用いて構成されている。紙袋１は、新聞紙と、新聞紙同士をはり付けるためののりとを用いて製造される。図柄７０ａは、紙袋１の材料となる新聞紙にプリントされているものである。紙袋１は、後述するような製造手順で、ユーザが、容易に製造可能なものである。
【００２０】
図２は、紙袋１の構造を示す分解斜視図である。
【００２１】
図を参照して、紙袋１は、外袋６０の内側に内袋２０が配置されて構成されている。すなわち、外袋６０は、紙袋１の外表面となる。外袋６０の開口部の周縁部と、内袋２０の開口部の周縁部とは、互いにのり付けされている。
【００２２】
内袋２０の外表面の一部には、持ち手４０の一部が接着されて固定されている。持ち手４０は、新聞紙を折って帯状にしたものである。本実施の形態において、持ち手４０は、その一部が内袋２０の底部に回り込むように内袋２０の外表面に沿うように配置され、内袋２０に接着されている。
【００２３】
内袋２０のうち持ち手４０が接着された部位の一部には、補強片４５ａがはり付けられている。補強片４５ａは、例えば１枚の新聞紙片又は数枚の新聞紙片を重ねたものである。補強片４５ａは、持ち手４０の一部を覆うようにはり付けられている。補強片４５ａは、例えば、内袋２０の開口部近傍部位であって持ち手４０が接着されている部位を覆うようにはり付けられている。
【００２４】
内袋２０に持ち手４０が接着され、補強片４５ａがはり付けられた部分は、いわば紙袋１の本体部５０となる。本実施の形態において、内袋２０は外袋６０より厚く、強度が高くなるように形成されており、また、内袋２０に持ち手４０が接着されている。すなわち、紙袋１は、主に本体部５０により内容物の荷重を支えることができる。
【００２５】
［材料について］
【００２６】
ここで、紙袋１の各部を製造するのに用いられる材料について説明する。本実施の形態においては、１つの紙袋１を製造するために、いわゆるブランケット判（例えば、縦が８１センチメートル程度で横が５５センチメートル程度の大きさ）の新聞を広げた大きさすなわちブランケット判の２ページ分の大きさ（以下、全紙の大きさと呼ぶことがある。）の６枚の新聞紙が用いられる。以下の説明においては、ブランケット判の１ページ分の大きさの新聞紙すなわち全紙の大きさの半分の大きさの新聞紙の長手方向を縦方向と呼び、短手方向を横方向と呼ぶことがある。なお、用いられる新聞紙の枚数は、製造する紙袋１の大きさに応じて変更することができる。
【００２７】
６枚の新聞紙のうち、１枚は、外袋６０に用いられる。すなわち、この１枚は、紙袋１の表面に露出する紙面を有するものである。また、他の２枚は、紙袋１の持ち手４０に用いられる。残りの３枚は、紙袋１の本体１０を構成する内袋２０に用いられる。
【００２８】
ユーザは、予め、材料となる新聞紙の中から、外袋６０に用いるものを選択しておく。ユーザは、新聞紙の紙面を見て、好みに応じて、紙袋１の表面にしたい紙面がある新聞紙を選択できる。例えば、紙面に図１に示すような図柄７０ａが掲載されている新聞紙を選ぶことができる。なお、本実施の形態においては、外袋６０を構成するためには、全紙の半分の大きさ、すなわちブランケット判１ページの大きさ（以下、この大きさのことを単に１ページの大きさと呼ぶことがある。）の新聞紙が必要である。
【００２９】
紙袋１を製造するユーザは、新聞紙の他に、新聞紙を接着するのに用いるのりと、はさみなどの切断用具を事前に用意する。
【００３０】
［紙袋１の製造手順及び詳細な構造］
【００３１】
以下、紙袋１の製造手順を示しながら、紙袋１の詳細な構造について説明する。紙袋１の製造手順は、大まかに、内袋２０を作製する第１の段階、持ち手４０を作製して内袋２０に取り付ける第２の段階、外袋６０を作製する第３の段階、及び内袋２０と外袋６０とを組み合わせる第４の段階に分かれている。以下の説明において、ユーザがそれぞれの作業を行う。
【００３２】
［内袋２０の作製（第１の段階）］
【００３３】
第１の段階では、ユーザは、以下の第１の工程〜第７の工程を行う。
【００３４】
図３は、第１の段階の第１の工程を説明する図である。
【００３５】
図を参照して、第１の工程では、内袋２０になる３枚の新聞紙１１を重ねる。重ねた新聞紙１１を、その真ん中で、すなわち新聞紙１１の横方向の中央部に位置する折り目（図において２点鎖線で示す）に沿って、はさみなどで切断する。換言すると、全紙の大きさの新聞紙を半分に切ることで、１ページの大きさの、略合同となる３枚２組の新聞紙１１を得る。
【００３６】
図４（ａ）は、第１の段階の第２の工程を説明する図であり、図４（ｂ）は、第１の段階の第２の工程が行われた後の新聞紙を示す図である。
【００３７】
図４（ａ）を参照して、第２の工程では、上記第１の工程で得られた３枚２組の新聞紙１１を重ねる。重ねて６枚となった新聞紙束（以下、重畳体と呼ぶ。）１１ａを、図に矢印で示すように、その短辺同士が重なるように縦方向に１回折り曲げ、２つに折り畳む。図において、２点鎖線は重畳体１１ａの折り曲げ位置を示す。図４（ｂ）を参照して、重畳体１１ａが折り曲げられると、１ページの半分の大きさで縦方向が短い新聞紙束（以下、折畳体と呼ぶ）１１ｂが得られる。
【００３８】
図５（ａ）は、第１の段階の第３の工程を示す図であり、図５（ｂ）は、第１の段階の第３の工程が行われた後の重畳体１１ａを示す図である。
【００３９】
図５（ａ）を参照して、第３の工程では、重畳体１１ａを２つに折り畳んでなる折畳体１１ｂの横方向の両サイドの部位を折畳体１１ｂの短辺に沿って折り曲げ、折り目を付ける。例えば、図に２点鎖線で示す位置で折り曲げ、折り目を付ける。ここで付ける折り目の幅ｄ１の略２倍が、紙袋１のマチの幅となる。すなわち、紙袋１のマチを約８センチメートルとする場合、折り目の幅ｄ１は、４センチメートル程度にすればよい。
【００４０】
図５（ｂ）を参照して、折り目を付けた折畳体１１ｂを開いて１ページの大きさの重畳体１１ａとする。このとき、両サイドに付けた折り目１１ｃより側方の部分がのりしろ１３となる。のりしろ１３は、折畳体１１ｂの２つの短辺に沿って、すなわち重畳体１１ａの２つの長辺に沿って、設けられる。
【００４１】
図６（ａ）は、第１の段階の第４の工程を示す図であり、図６（ｂ）は、第１の段階の第４の工程が行われた後の内袋２０を示す図である。
【００４２】
図６（ａ）を参照して、第４の工程では、重畳体１１ａを構成する６枚の新聞紙のそれぞれののりしろ１３と、それに対向する新聞紙ののりしろ１３とを互いにのり付け（固定の一例）する。また、重畳体１１ａを２つに折ったときに対向するのりしろ１３同士、すなわち重畳体１１ａを折畳体１１ｂにしたときに内側に位置する新聞紙ののりしろ１３同士をのり付けする。
【００４３】
図６（ｂ）を参照して、上述のようにのりしろ１３がのり付けされることにより、折畳体１１ｂがその長辺の一方で開口する袋状になる。すなわち、６枚の新聞紙をはり合わせることにより、折畳体１１ｂが内袋２０になる。内袋２０のうち、折畳体１１ｂの２つの短辺のそれぞれに対応する辺の近傍には、固定部１５ａ，１５ｂが設けられている。２つの固定部１５ａ，１５ｂは、それぞれ、のりしろ１３同士がのり付けされて１２枚の新聞紙が一体に重ねられて固定されている部位である。
【００４４】
図７は、第１の段階の第５の工程を示す図である。
【００４５】
図を参照して、第５の工程では、２つの固定部１５ａ，１５ｂを折り曲げ、内袋２０の表面にのり付けする。ここで、固定部１５ａは、内袋２０の第１の面（図において背面）に向けて折り込まれてその面に固定される。他方、固定部１５ｂは、内袋２０の第２の面（図において前面）に向けて折り込まれてその面に固定される。すなわち、２つの固定部１５ａ，１５ｂは、左右互い違いに折り曲げられ、内袋２０の本体にはり付けられる。これにより、内袋２０の第１の面と第２の面との重量バランスが保たれる。
【００４６】
図８（ａ）は、第１の段階の第６の工程を示す図であり、図８（ｂ）は、第１の段階の第６の工程が行われた後の内袋２０を底面側から見た斜視図である。
【００４７】
以下の図において、新聞紙が重ねられて厚くなっている部位について、その厚みに関する図示を省略することがある。
【００４８】
図８（ａ）は、内袋２０を上方から見た斜視図である。図を参照して、第６の工程では、内袋２０にマチを付ける。固定部１５ａ，１５ｂのそれぞれがのり付けされて厚みが他の部位より大きくなった部分の幅が、内袋２０のマチ部分の幅の半分になるように、内袋２０の表面に折り目を付ける。そして、内袋２０を箱形に成形する。内袋２０が箱形に成形されたとき、内袋２０の下方で、余分な部分である２つの三角形部１７ａ，１７ｂが出っ張る。三角形部１７ａ，１７ｂを図に矢印で示すように内袋２０の底面に向けて折り返し、内袋２０の底面にはり付けて固定する。
【００４９】
図８（ｂ）を参照して、三角形部１７ａ，１７ｂが内袋２０の底面に固定されると、内袋２０は、マチと底面とを有し、上方に開口する箱形になる。本実施の形態では、マチの幅ｄ２は、固定部１５ａ，１５ｂの幅寸法すなわちのりしろ１３の幅寸法（図５（ａ）における寸法ｄ１）の略２倍になる。
【００５０】
図９は、第１の段階の第７の工程における内袋２０を上方から見た斜視図である。
【００５１】
図を参照して、第７の工程では、内袋２０の上部の所定幅分の部位が、内袋２０の外側に折り返される。本実施の形態において、折り返される折返部１９の幅寸法ｄ３は、約３センチメートルである。なお、折返部１９の幅ｄ３は、例えば、２センチメートル〜５センチメートルとすればよい。
【００５２】
［持ち手４０の作製及び取付け（第２の段階）］
【００５３】
以上で第１の段階が終了し、内袋２０が完成する。次に、持ち手４０に関する第２の段階について説明する。第２の段階では、ユーザは、以下の第１の工程〜第４の工程を行う。
【００５４】
図１０（ａ）及び図１０（ｂ）は、それぞれ、第２の段階の第１の工程を説明する図である。
【００５５】
図１０（ａ）を参照して、第１の工程では、持ち手４０に用いるために用意した２枚の新聞紙をそれぞれ折り畳む。まず、各新聞紙４１について、図において丸付き数字で示した番号順に、全紙の大きさに広げた新聞紙４１の長辺に平行な方向に、３回折り畳む。このとき、その都度新聞紙４１の縦方向の中央で折り曲げるようにして、３回折り畳む。新聞紙４１を３回折り畳むと、新聞紙４１は縦方向の幅ｄ４が７センチメートル程度の帯状になる。
【００５６】
図１０（ｂ）を参照して、このような帯状の新聞紙４１をさらに三つ折りして折り畳み、のり付けを行う。三つ折りを行うとき、帯状の新聞紙４１の両側縁部のうち、上記のように３回目に折り畳んだときに折り曲げ部位となった側縁部４１ｂを外側に露出させる。これにより、新聞紙４１の端部が帯状の新聞紙４１の内側に隠れ、見栄えが良くなる。これにより、２枚の新聞紙４１を用いて、幅が約２センチメートル〜３センチメートルの帯状の持ち手４０が２本得られる。
【００５７】
図１１は、第２の段階の第２の工程における持ち手４０を示す図である。
【００５８】
図を参照して、第２の工程において、持ち手４０を、紙袋１に取り付けられるように、予め折り曲げておく。すなわち、各持ち手４０の長手方向中央から両端部に向けて寸法ｄ５だけ離れた位置において、長手方向に対して垂直な方向に、持ち手４０の２つの端部側の部位を折り曲げる。このとき、持ち手４０の長手方向中央を通る持ち手４０の長手方向に垂直な平面に対して対称に、持ち手４０の両端部を折り曲げる。これにより、図に示すように、持ち手４０がコ字状（又はＵ字状）に成形される。なお、寸法ｄ５は、例えば５センチメートル程度にすればよい。
【００５９】
図１２は、第２の段階の第３の工程を説明する図である。
【００６０】
図を参照して、第３の工程では、第１の段階で作製した内袋２０の外表面に持ち手４０を取り付ける。２つの持ち手４０は、内袋２０の底面とマチ部分とを除く２面（図において前面及び背面）に１つずつ取り付けられる。持ち手４０を内袋２０の表面に合わせて、持ち手４０の長さがほどよい長さになるように持ち手４０の位置を決定した上で、持ち手４０を内袋２０の外表面にのり付けする。内袋２０の下部２０ａから突き出た持ち手４０の端部の余剰部分４０ａは、内袋２０の底面に向けて折り曲げ、底面にのり付けする。このように、持ち手４０に余剰部分４０ａがあるときは、余剰部分４０ａが内袋２０の底部に回り込むように配置されるので、内袋２０に物が入れられたとき、その物の荷重の大部分を、比較的丈夫な持ち手４０によって直接的に支えることができる。
【００６１】
なお、２つの持ち手４０は、内袋２０の２つのマチ部分の中央部を通り持ち手４０が固定される面に平行な平面に関して互いに対称となる位置に取り付けられる。このとき、内袋２０の底面において、一方の持ち手４０の余剰部分４０ａが、他方の持ち手４０の余剰部分４０ａに届く長さであるときは、一方の余剰部分４０ａに他方の余剰部分４０ａが重なるようにして、のり付けする。これにより、２つの持ち手４０の余剰部分４０ａ同士が重なった重なり部４３（図１３に図示）ができる。このように持ち手４０を取り付けることにより、２つの持ち手４０同士がつなげられ、内袋２０の底面を通って内袋２０の相対向する面に配置される。したがって内袋２０の強度がより高くなり、紙袋１により重い物を収納可能になる。
【００６２】
図１３は、第２の段階の第４の工程における本体部５０を底面側から見た斜視図である。
【００６３】
図を参照して、第４の工程では、補強片４５ａを、各持ち手４０のうち、内袋２０の上部部分にはり付けられている部位を覆うように配置する。補強片４５ａは、持ち手４０及び内袋２０にはり付けられて固定される。また、本実施の形態においては、内袋２０の底面にも、補強片４５ｂをはり付ける。補強片４５ｂは、持ち手４０の余剰部分４０ａと内袋２０の底面との一部を覆うようにはり付けられる。すなわち、補強片４５ｂは、重なり部４３や三角形部１７ａ，１７ｂの一部などを覆うようにはり付けられる。
【００６４】
２枚の補強片４５ａと補強片４５ｂとは、それぞれ、例えば１枚又は２枚の新聞紙片である。予め用意した新聞紙のうち外袋６０に用いる部分を切り出したもの（後述の第３の段階の第１の工程を終えた状態の新聞紙など）の残りの部分を例えば６等分とし、そのうち２枚ずつをこれらの補強片４５ａ，４５ｂとして利用することが可能である。
【００６５】
［外袋６０の作製（第３の段階）］
【００６６】
以上で第２の段階が終了し、紙袋１の本体部５０が完成する。次に、外袋６０を作製する第３の段階について説明する。第３の段階では、ユーザは、以下の第１の工程〜第４の工程を行う。
【００６７】
図１４は、第３の段階の第１の工程を説明する図である。
【００６８】
図を参照して、第１の工程において、外袋６０に用いるものとして選択した紙面を含む全紙の大きさの新聞紙７０を１ページの大きさに切断する。切断されて得られた１ページの大きさの新聞紙７１は、ユーザが紙袋１の「表」にしたいとする図柄７０ａが掲載されているものである。切断された残りの新聞紙４５は、上述の第２の段階の第４の工程において、補強片４５ａ，４５ｂとして有効に活用可能である。
【００６９】
図１５（ａ）は、第３の段階の第２の工程を説明する図であり、図１５（ｂ）は、第３の段階の第２の工程が行われた後の状態を説明する斜視図である。
【００７０】
図１５（ａ）を参照して、残しておいた「表」になる新聞紙７１を、その短辺同士が重なるように縦方向に１回折り曲げ、２つに折り畳む。図において、２点鎖線は折り曲げられる位置を示す。図１５（ｂ）を参照して、新聞紙７１が折り畳まれると、１ページの半分の大きさで縦方向が短い折畳体７１ｂが得られる。折畳体７１ｂの表面には、図柄７０ａが現れるようにする。
【００７１】
図１６は、第３の段階の第３の工程を説明する第１の図である。
【００７２】
第３の工程では、新聞紙７１にのりしろを設け、のりしろ同士を接着する。図を参照して、まず、新聞紙７１を折畳体７１ｂとした状態でその短辺に沿って折り曲げることにより、新聞紙７１の横方向の両サイドの部位に折り目７１ｃを付ける。そして、折畳体７１ｂを１ページの大きさに広げる。このとき、内袋２０よりも外袋６０が大きくなるように、折り目の幅ｄ６は、内袋２０を作製するときに付けた折り目の幅ｄ１よりも狭くなるようにする。例えば、折り目の幅ｄ６は、寸法ｄ１よりも２〜３ミリメートルだけ小さくなるようにする。なお、折り目の幅ｄ６は、内袋２０よりも外袋６０がわずかに大きくなるように、適宜設定可能である。
【００７３】
このようにして、新聞紙７１の両サイドには、折り目７１ｃが付けられる。２つの折り目７１ｃのそれぞれから側方の部分が、のりしろ７３となる。のりしろ７３は、折畳体７１ｂの２つの短辺に沿って、すなわち新聞紙７１の２つの長辺に沿って、設けられる。のりしろ７３は、図柄７０ａが掲載されている面（表面）と同じ面に設けられる。
【００７４】
図１７は、第３の段階の第３の工程を説明する第２の図である。
【００７５】
次に、各のりしろ７３を折り目７１ｃに沿って新聞紙７１の背面に折り込んだ状態で、新聞紙７１を再び折り畳んで折畳体７１ｂとする。これにより、図に示すように、折り込まれた各のりしろ７３同士が対向する状態となる。互いに対向するのりしろ７３同士をのり付けし、折畳体１１ｂをその短辺側両側部において背合わせにはり付けることで、外袋６０が形成される。
【００７６】
図１８は、第３の段階の第４の工程における外袋６０を示す斜視図である。
【００７７】
図を参照して、第４の工程では、袋状に形成された外袋６０について、内袋２０の形状に合わせてマチ部分及び底面を設け、箱状に成形する。このとき、のり付けされたのりしろ７３は、外袋６０のマチ部分に沿うように折り畳んでおく。また、マチ部分を設けることにより出っ張る三角形部７５ａ，７５ｂは、外袋６０の底面に向けて軽く折り曲げておく。なお、三角形部７５ａ，７５ｂは、次に説明する第４の段階において、外袋６０の底面に向けて折り曲げるようにしてもよい。
【００７８】
ここで、外袋６０の上部には、折込部７９が設けられる。折込部７９は、上記のように箱形に形成された状態の外袋６０の上端縁から寸法ｄ７の幅を有するように設けられる。折込部７９は、内袋２０の高さに合わせて、外袋６０の内部に折り込まれる。寸法ｄ７の幅は、例えば、次に説明する第４の段階において、内袋２０と外袋６０との高さをいわゆる現物合わせにより比べることにより、決定することができる。
【００７９】
［外袋６０と内袋２０との組合せ（第４の段階）］
【００８０】
以上で第３の段階が終了し、大まかに成形された外袋６０が完成する。最後に、外袋６０と内袋２０とを組み合わせる第４の段階について説明する。第４の段階では、ユーザは、以下の第１の工程及び第２の工程を行う。図２を参照して以下の説明を行う。
【００８１】
第１の工程では、大まかに成形された外袋６０の中に、内袋２０すなわち本体部５０を入れる。外袋６０の位置や形状を内袋２０に実際に合わせることで調節及び修正し、内袋２０の深さに合わせて、折込部７９の高さを決定する。互いに対面する折込部７９と内袋２０の折返部１９とをのり付けして固定し、外袋６０と内袋２０とを組み合わせる。
【００８２】
第２の工程では、外袋６０の底面に、外袋６０の三角形部７５ａ，７５ｂをはり付ける。第２の工程が終了すると、第４の段階が終了し、紙袋１が完成する。
【００８３】
［実施の形態における効果］
【００８４】
このように、本実施の形態では、紙袋は、多くの枚数の新聞紙を重ねて形成されておりその内表面が比較的平たんに形成された内袋と、その外表面が比較的平たんに形成された外袋とを組み合わせた構造を有している。したがって、紙袋の外表面及び内表面は比較的平たんなものになり、かつ、紙袋の強度は高くなる。すなわち、丈夫で、かつ、見栄えが良い紙袋を製造可能である。外袋は、ユーザが好みの図柄が掲載された新聞紙を用いて容易に作製できるものであり、紙袋の外表面のデザインを容易に設定可能である。
【００８５】
紙袋は、持ち手を有するものであるが、持ち手のうち内袋にのり付けされている部位は紙袋の外表面や内表面には露出していない。したがって、紙袋の外観の見栄えがさらに良くなる。また、紙袋に物を出し入れする際に、その物が、紙袋の内側において持ち手に引っかかることがなく、紙袋への物の出し入れを容易に行うことができる。
【００８６】
持ち手は、補強片がはり付けられることで、より強固に内袋にはり付けられている。したがって、持ち手の取付け強度が増し、紙袋に重い物を入れて運ぶことが可能になる。また、補強片がはり付けられることで、紙袋自体の強度も大きくなる。
【００８７】
内袋のマチ部分の一部及び底面の三角形部の一部は、１２枚の新聞紙が互いにのり付けされた固定部により構成されている。この固定部がいわば枠材としての役割を担うので、紙袋がより丈夫になり、紙袋が本来の形状から変形しにくくなる。
【００８８】
外袋と内袋とは、各々の開口部付近に設けられた折込部及び折返部で互いに接着されるので、紙袋の他の部位よりも開口部の周縁部の厚みが大きくなる。そのため、紙袋の耐久性が増加し、物の出し入れを何度も行っても破れにくくなる。
【００８９】
また、紙袋は、新聞紙とのりのみを材料として用いて構成されている。したがって、紙袋の製造には特別な工作器具などは必要なく、だれでも容易に製造できる。また、紙袋１を、その形のまま容易に焼却処分したり、紙資材としてリサイクルしたりすることが可能である。
【００９０】
［変型例］
【００９１】
なお、上述のようなマチ部分を設けない紙袋も、上述の製造手順のうち必要な作業を行うことで、容易に製造可能である。
【００９２】
図１９は、本実施の形態の一変型例に係る紙袋を示す斜視図である。
【００９３】
図を参照して、紙袋１０１は、マチ部分がないトートバッグである。紙袋１０１は、外袋１６０と、外袋１６０の内側に組み合わされた内袋１２０と、内袋１２０と外袋１６０との間に取り付けられた持ち手４０とを備えている。紙袋１０１は、ユーザの所望の図柄７０ａが外袋１６０の外表面に位置するように、上述の実施の形態と同様に作製可能である。内袋１２０と外袋１６０とは、紙袋１０１の開口部の周縁部においてのり付けされ、互いに固定されている。持ち手４０は、上述の実施の形態における紙袋１と同様に、内袋１２０の外表面にのり付けされている。持ち手４０の両端部は、内袋１２０の底部に回り込むように配置されている。また、持ち手４０の一部を覆うように、補強片（図示せず）が持ち手４０の上から内袋１２０にのり付けされている。
【００９４】
内袋１２０及び外袋１６０は、マチ部分を有しないように、へん平形状に形成されている。内袋１２０は、上述の紙袋１の内袋２０の製造手順である第１の段階のうち、第６の工程を除いた各工程を行うことにより、作製される。また、外袋１６０は、紙袋１の外袋６０の製造手順である第３の段階のうち、第４の工程を除いた各工程を行うことにより、作製される。その他の製造手順は、紙袋１の製造手順と略同様である。
【００９５】
このような紙袋１０１も、紙袋１と同様に、丈夫で、かつ、見栄えが良いものである。内袋１２０の短辺すなわち紙袋１０１の両側部には、１２枚の新聞紙が互いにのり付けされた固定部（図示せず）が位置する。したがって、紙袋１０１がより丈夫になり、紙袋１０１の形は崩れにくくなる。
【００９６】
［その他］
【００９７】
のりの代わりに木工用ボンドなどの種々の接着剤を用いて新聞紙同士を接着するようにしてもよい。また、のりや接着剤の代わりに、又はのりや接着剤とともに、例えばステープルや接着剤付きテープなどを用いて紙袋を製作してもよい。紙袋の表面にニスやその他の樹脂液などを塗布したり、ニスやその他の樹脂液などを塗布した新聞紙を用いて紙袋を製作したりしてもよい。
【００９８】
補強片を省いて紙袋を作製してもよい。
【００９９】
持ち手は、内袋ではなく、外袋の内表面に接着されたりして固定されていてもよい。この場合、外袋のうち持ち手が接着された部位に補強片をはり付けてもよい。
【０１００】
比較的短い持ち手を用いる場合などには、持ち手を新聞紙の縦方向が長手方向となるように折り込んで作製してもよい。このように持ち手の長手方向と新聞紙を引き裂きにくい方向とを一致させることにより、持ち手の引っ張り強度を高くすることができる。
【０１０１】
持ち手は、新聞紙を用いて構成されたものに限られない。例えば、樹脂製の持ち手などを内袋の外表面や外袋の内表面に固定するようにしてもよい。また、持ち手は、新聞紙を折り曲げたもの内部に、例えばビニルひもなどを芯材として配置して構成されていてもよい。これにより、持ち手の引っ張り強度をさらに高めることができる。
【０１０２】
外袋、内袋、及び持ち手は、それぞれ、厚紙や段ボールなどを芯材として用いて形成されてもよい。また、内袋と外袋との間に、これらの芯材を配置して紙袋を形成してもよい。
【０１０３】
内袋を構成する新聞紙の枚数や外袋を構成する新聞紙の枚数は、上述に限られるものではない。内袋は、外袋を構成する新聞紙の枚数と同じ枚数かそれより多い枚数の新聞紙を重ねて構成されるのが好ましい。この場合、紙袋の強度をより高くすることが可能になる。
【０１０４】
必要に応じて、新聞紙の余分な部分をはさみなどで切り落として紙袋を製造してもよい。例えば、部分的に厚みが大きくなり紙袋の外観に影響が及ぶおそれがあるときには、余分な部分を切り落としたり新聞紙が重なる枚数を少なくしたりすることができる。
【０１０５】
紙袋の大きさは、上述のようにして形成されうる大きさに限られない。すなわち、用いられる新聞の大きさはブランケット判に限られない。また、予めのり付けするなどして作製した新聞紙を用いることにより、より大きな紙袋も作製することができる。
【０１０６】
例えば上述の第１の段階の第３の工程などで、折り目が折畳体の短辺に対して傾斜するようにして、内袋及びそれに適合する大きさの外袋を作製してもよい。これにより、箱形や長方形型の紙袋に限られず、例えば台形型の紙袋や、開口部の面積と底面の面積とが異なる紙袋を作製することができる。
【０１０７】
上記実施の形態は、すべての点で例示であって制限的なものではないと考えられるべきである。本考案の範囲は上記した説明ではなくて実用新案登録請求の範囲によって示され、実用新案登録請求の範囲と均等の意味及び範囲内でのすべての変更が含まれることが意図される。
【符号の説明】
【０１０８】
１，１０１  紙袋
１１ｂ  折畳体
１５ａ，１５ｂ  固定部
２０，１２０  内袋
４０  持ち手
４５ａ，４５ｂ  補強片
６０  外袋
【図１】
0003165087.tif 000003
【図２】
0003165087.tif 000004
【図３】
0003165087.tif 000005
【図４】
0003165087.tif 000006
【図５】
0003165087.tif 000007
【図６】
0003165087.tif 000008
【図７】
0003165087.tif 000009
【図８】
0003165087.tif 000010
【図９】
0003165087.tif 000011
【図１０】
0003165087.tif 000012
【図１１】
0003165087.tif 000013
【図１２】
0003165087.tif 000014
【図１３】
0003165087.tif 000015
【図１４】
0003165087.tif 000016
【図１５】
0003165087.tif 000017
【図１６】
0003165087.tif 000018
【図１７】
0003165087.tif 000019
【図１８】
0003165087.tif 000020
【図１９】
0003165087.tif 000021